(57)【特許請求の範囲】
【請求項１】
棟に小屋裏と連通する空間の左右に形成した水切り部材と、水切り部材を覆うように通気孔を形成した山状の棟換気カバーと、水切り部材と棟換気カバー間の空間に通気路形成材を形成した棟換気装置において、水切り部材は水切り片と水切り片の一端を垂下した固定片と固定片の先端を外側方に突出した水切りと水切り片の他端を上方に突出した防水片７と防水片７の先端を内側方に突出した突出片と水切り片の両側端を上方に突出した防水片９と防水片９の一側端を外側方に突出した脇固定片とから形成し、通気路形成材は小屋裏に連通する空間と外部を連通する複数本の通気路を形成した通気路形成部と、通気路形成部の棟側に棟換気カバーの裏面側に形成した結露防止部と、通気路形成部の軒側に長手方向に対して断続的に形成したバックアップ部とからなることを特徴とする棟換気装置。
【発明の詳細な説明】
【０００１】
【発明の属する技術分野】
本発明は、家屋内の不浄な空気を効率よく換気できると共に、防水性、施工性をアップした棟換気装置に関するものである。
【０００２】
【従来の技術】
従来の棟換気装置は、形状が複雑で、部材が多いものが大半であった。
【０００３】
【発明が解決しようとする課題】
そのため、施工が大変、コストが高い、値段の割に効果が少ない、等の欠点があった。
【０００４】
【課題を解決するための手段】
本発明はこのような欠点を除去するために、棟に小屋裏と連通する空間の左右に形成した水切り部材と、水切り部材を覆うように通気孔を形成した山状の棟換気カバーと、水切り部材と棟換気カバー間の空間に通気路形成材を形成した棟換気装置において、水切り部材は水切り片と水切り片の一端を垂下した固定片と固定片の先端を外側方に突出した水切りと水切り片の他端を上方に突出した防水片７と防水片７の先端を内側方に突出した突出片と水切り片の両側端を上方に突出した防水片９と防水片９の一側端を外側方に突出した脇固定片とから形成し、通気路形成材は小屋裏に連通する空間と外部を連通する複数本の通気路を形成した通気路形成部と、通気路形成部の棟側に棟換気カバーの裏面側に形成した結露防止部と、通気路形成部の軒側に長手方向に対して断続的に形成したバックアップ部とからなることを特徴とする棟換気装置を提供するものである。
【０００５】
【発明の実施の形態】
以下に、図面を用いて本発明に係る棟換気装置について詳細に説明する。図１（ａ）、（ｂ）〜図３（ａ）、（ｂ）は本発明に係る棟換気装置を施工した屋根の棟部分を示す断面図であり、家屋の棟の構造を示すものである。また、αは屋根下地、βは固定具、Ｐは既存屋根、Ｑはアスファルトルーフィング等よりなる防水シート、Ｒは屋根材、Ｓは当て木、Ｔはパッキング材、Ｕは面戸である。
【０００６】
棟換気装置は、図１（ａ）、（ｂ）に示すような水切り部材Ａ、棟換気カバーＢと通気路形成材Ｃよりなる棟換気カバー部材Ｄより形成したものである。また、棟は図４（ａ）、（ｂ）に示すように、棟カバー材Ｋによりカバーされているものである。
【０００７】
水切り部材Ａは図５（ａ）〜（ｃ）に示すように、水切り片３と、水切り片３の一端を下方に垂下した固定片４と、固定片４の先端を外側方に突出した水切り５と、水切り５の先端を内側方に屈曲した舌片６と、水切り片３の他端を上方に突出した防水片７と、防水片７の先端を内側方に屈曲した突出片８と、水切り片３の両端面を上方に突出した防水片９と、防水片９の一側端を外側方に屈曲した脇固定片１０とから形成したものである。
【０００８】
水切り部材Ａは内部に浸入した雨水等が、空間γを伝って家屋内の小屋裏まで浸入しないように形成したものである。
【０００９】
固定片４と脇固定片１０は水切り部材Ａを当て木２に固定するための部分である。
【００１０】
防水片７、突出片８、防水片９は、水切り片３上に落下した雨水等が風等で吹かれて逆流し、小屋裏方向へ浸入しないように形成した雨水浸入防止用壁である。
【００１１】
棟換気カバー部材Ｄは図６（ｃ）〜（ｄ）に示すように、棟換気カバーＢと通気路形成材Ｃとからなるものである。
【００１２】
棟換気カバーＢは図６（ａ）〜（ｂ）、図７（ａ）、（ｂ）に示すように、棟に対応したカバー面１１と、カバー面１１の両端を下方に垂下した固定面１２と、固定面１２の先端を外側方に突出した水切り面１３と、水切り面１３の先端を内側方に屈曲した舌片１４と、カバー面１１に形成した複数個の通気孔１５と、固定面１２に形成した複数個の通気兼流水孔１６とから形成したものである。
【００１３】
固定面１２は棟換気カバー部材Ｄを当て木２に固定するための部分であると共に、水切り部材Ａが外部に露出するのを防止する部分である。
【００１４】
通気孔１５は、家屋内の汚染された空気、湿った空気、余剰に冷暖房された空気、等を外部に放出するために形成された換気口である。
【００１５】
通気兼流水孔１６は、家屋内の汚染された空気、湿った空気、余剰に冷暖房された空気、等を外部に放出すると共に、内部で発生した結露水や内部に浸入した雨水等を外部に放出するために形成されたものである。
【００１６】
水切り部材Ａ、棟換気カバーＢ、棟カバー材Ｋの素材としては、金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、押出成形等によって各種形状に成形したものである。
【００１７】
通気路形成材Ｃは図８（ａ）〜（ｅ）〜図１２（ａ）〜（ｄ）に示すようなものである。
【００１８】
図面について説明すると、図８（ａ）は図９（ａ）の拡大底面図、図８（ｂ）は図９（ａ）のＡ−Ａ部拡大断面図、図８（ｃ）は図９（ａ）のＢ−Ｂ部拡大断面図、図８（ｄ）は図９（ａ）のＣ−Ｃ部拡大断面図、図８（ｅ）は図９（ａ）のＤ−Ｄ部拡大断面図である。また、図９（ａ）は正面図、図９（ｂ）は右側面図、図９（ｃ）は左側面図、図９（ｄ）は背面図である。さらに、図１０（ａ）は図９（ａ）のＥ−Ｅ部断面図、図１０（ｂ）は図９（ａ）のＦ−Ｆ部断面図、図１０（ｃ）は図９（ａ）のＧ−Ｇ部断面図、図１０（ｄ）は図９（ａ）のＨ−Ｈ部断面図である。
【００１９】
図１１（ａ）〜（ｄ）、図１２（ａ）〜（ｄ）は反対側の通気路形成材Ｃを示すものであり、図１１（ａ）は正面図、図１１（ｂ）は右側面図、図１１（ｃ）は左側面図、図１１（ｄ）は背面図である。さらに、図１２（ａ）は図１１（ａ）のＥ−Ｅ部断面図、図１２（ｂ）は図１１（ａ）のＦ−Ｆ部断面図、図１２（ｃ）は図１１（ａ）のＧ−Ｇ部断面図、図１２（ｄ）は図１１（ａ）のＨ−Ｈ部断面図である。
【００２０】
通気路形成材Ｃは通気路形成部１７、結露防止部１８、バックアップ部１９、通気路２０、防水部２１とから形成したものである。
【００２１】
通気路形成部１７には複数本の通気路２０が形成され、小屋裏空間の空間と外部を連通化し、空気の流れる空間γを形成するものである。
【００２２】
また、通気路形成部１７には、通気路２０を形成して残った部分で防水部２１を形成し、外部からの雨水等の浸入を防止しているものである。
【００２３】
結露防止部１８は、通気路形成材Ｃにおける棟側に棟換気カバーＢの裏面側に形成し、棟換気カバーＢの裏面に結露が発生するのを防止するために形成した部分である。
【００２４】
バックアップ部１９は、通気路形成材Ｃにおける軒側に長手方向に対して断続的に形成し、棟換気カバーＢの端部の強度向上のために形成した部分である。
【００２５】
防水部２１は連続して形成されている部分であり、通気孔１５、通気兼流水孔１６より浸入した雨水等が、小屋裏等の内部に浸入するのを防止する部分である。
【００２６】
勿論、水切り部材Ａと通気路形成材Ｃ間は接着剤で接着されていないため、雨水等は浸入しないが、内部に浸入した雨水等は外部に放出することが出来るものである。
【００２７】
通気路形成材Ｃの素材としては、合成樹脂発泡体、プラスチック、木材、無機質材（ケイ酸カルシウム板、炭酸カルシウム板、石膏ボード、パーライトセメント板、ロックウール板、スレート板、ＡＬＣ板、ＰＣ板、その他の無機質軽量体、無機質軽量発泡体等、あるいはこれらの複合板）、等よりなるものである。
【００２８】
合成樹脂発泡体としてはポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものである。また、フォーム内には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００２９】
図１３（ａ）〜（ｇ）は屋根材Ｒの実施例を示すものである。
【００３０】
なお、図では、既存屋根Ｐに直接形成した構造を示しているが、屋根材Ｒを撤去した後に形成したり、新築家屋の屋根の棟構造として形成したりすることが出来るものである。この場合には、図面の既存屋根Ｐ部分が野地板等の下地材になるものである。
【００３１】
また、図２（ａ）〜（ｃ）に点線矢印で示すように、エアーＷが流れるものであり、図に示すような金属成型瓦屋根よりなる屋根材Ｒを使用し、かつ、屋根材Ｒの裏面をエアーＷが流れるような構造に形成した場合には、エアーＷの流れにより屋根材Ｒの裏面の温度上昇を抑制することにより、夏期の小屋裏の温度上昇を低減し、居住性の向上に寄与する機能も具備するものである。なお、図２（ｃ）は棟部分の既存屋根Ｐを除去せず、小屋裏との空間を閉塞したままの構造である。勿論、屋根材Ｒの裏面をエアーＷが流れないような構造の屋根材Ｒを使用した場合には、小屋裏から家屋内の不浄な空気を排出するものである。
【００３２】
【発明の効果】
以上説明したように、本発明に係る棟換気装置によれば、▲１▼施工性が良い。▲２▼防水性が良い。▲３▼換気効率がよい。▲４▼部材が少ない。▲５▼コストが低い。▲６▼結露が発生しない。▲７▼屋根材の裏面をエアーが流れるような構造に形成した場合には、エアーの流れにより屋根材の裏面の温度上昇を抑制することにより、夏期の小屋裏の温度上昇を低減し、居住性の向上に寄与する機能も具備する。▲８▼既存屋根を除去せずに改修する屋根の棟換気に有効である。等の特徴、効果がある。
【図面の簡単な説明】
【図１】本発明に係る棟換気装置を示す断面図である。
【図２】本発明に係る棟換気装置を示す断面図である。
【図３】本発明に係る棟換気装置を示す拡大断面図である。
【図４】本発明に係る棟換気装置を形成する一般部を示す断面図である。
【図５】本発明に係る棟換気装置に使用する水切り部材を示す説明図である。
【図６】本発明に係る棟換気装置に使用する棟換気カバー部材を示す説明図である。
【図７】本発明に係る棟換気装置に使用する棟換気カバーを示す説明図である。
【図８】本発明に係る棟換気装置に使用する通気路形成材を示す説明図である。
【図９】本発明に係る棟換気装置に使用する通気路形成材を示す説明図である。
【図１０】本発明に係る棟換気装置に使用する通気路形成材を示す説明図である。
【図１１】本発明に係る棟換気装置に使用する通気路形成材を示す説明図である。
【図１２】本発明に係る棟換気装置に使用する通気路形成材を示す説明図である。
【図１３】本発明に係る棟換気装置に使用する屋根材の実施例を示す説明図である。
【符号の説明】
α  屋根下地
β  固定具
γ  空間
Ａ  水切り部材
Ｂ  棟換気カバー
Ｃ  通気路形成材
Ｄ  棟換気カバー部材
Ｋ  棟カバー材
Ｐ  既存屋根
Ｑ  防水シート
Ｒ  屋根材
Ｓ  当て木
Ｔ  パッキング材
Ｕ  面戸
１  嵩上げ材
２  当て木
３  水切り片
４  固定片
５  水切り
６  舌片
７  防水片
８  突出片
９  防水片
１０  脇固定片
１１  カバー面
１２  固定面
１３  水切り面
１４  舌片
１５  通気孔
１６  通気兼流水孔
１７  通気路形成部
１８  結露防止部
１９  バックアップ部
２０  通気路
２１  防水部
【図１】
0004526677.tif 000002
【図２】
0004526677.tif 000003
【図３】
0004526677.tif 000004
【図４】
0004526677.tif 000005
【図５】
0004526677.tif 000006
【図６】
0004526677.tif 000007
【図７】
0004526677.tif 000008
【図８】
0004526677.tif 000009
【図９】
0004526677.tif 000010
【図１０】
0004526677.tif 000011
【図１１】
0004526677.tif 000012
【図１２】
0004526677.tif 000013
【図１３】
0004526677.tif 000014